(57)【要約】【課題】型崩れし難く、クッション性、通気性が良好で安眠、熟睡できるようにする。【解決手段】基板材２はそれぞれ通気孔を有する多数の四角枠形状の枠部材を辺方向に連結するようにして一体成型されている。基板材２の表面には、弾性を有する多数の突条片５が面に対して直角方向に高密度で植立されている。また、基板材２の裏面には、多数の短い支柱６が一体成型されている。  睡眠用枕の形状とした上下の基板材２の間に、別体の中間板７が配置されている。この中間板７の上下の表面には、支柱６の先端部６ａに対する短円筒状の受部７ａが成型されている。中間板７の受部７ａに支柱６の先端部６ａを嵌合することにより、基板材２は枕形状に保形される。【選択図】図７
2013244197.tif 000002
【特許請求の範囲】
【請求項１】
多数の通気孔を設けると共に表面に多数本の柔軟性かつ弾発性を有する突条片を形成した合成樹脂材から成るシート状の基板材を備え、該基板材を略楕円筒状に丸め、上下の前記基板材間に通気性を有し前記基板材間の形状を保形する形状保形部材を配置したことを特徴とする睡眠用枕。
【請求項２】
前記略楕円筒状に丸めた基板材の周囲を通気性を有するカバーにより覆ったことを特徴とする請求項１に記載の睡眠用枕。
【請求項３】
前記形状保形部材は上下の前記基板材間方向において弾力性を有することを特徴とする請求項１又は２に記載の睡眠用枕。
【請求項４】
前記形状保形部材は上下の前記基板材の裏面に一体に成形した多数本の支柱と、前記基板材間の中間に配置した別体の中間板とから成り、前記支柱の先端部を前記中間板に当接したことを特徴とする請求項１〜３の何れか1つの請求項に記載の睡眠用枕。
【請求項５】
前記形状保形部材は上又は下の前記基板材の裏面に一体に成型した多数本の支柱から成り、前記支柱の先端を対向する前記基板材の裏面に当接したことを特徴とする請求項１〜３の何れか1つの請求項に記載の睡眠用枕。
【請求項６】
前記形状保形部材は、上下の前記基板材の裏面に一体に成型した多数個の受部と、対向する前記基板材の裏面の受部間を連結する別体の棒状又は円筒状の連結部材とから成ることを特徴とする請求項１〜３の何れか1つの請求項に記載の睡眠用枕。
【請求項７】
前記形状保形部材は合成樹脂製の枠体とし、該枠体を前記略楕円筒状に丸めた基板材間に挿入したことを特徴とする請求項１〜３の何れか1つの請求項に記載の睡眠用枕。
【発明の詳細な説明】
【技術分野】
【０００１】
本発明は、快適に安眠、熟睡ができる睡眠用枕に関するものである。
【背景技術】
【０００２】
市販されている睡眠用枕の種類は様々であるが、多くの人は使用している睡眠用枕に対して満足しておらず、寝付きが悪い、熟睡できない、起床時に首や肩が痛いなどの不満を持っている。
【０００３】
従来から、睡眠用枕は快眠できることが求められており、硬さも含めた例えばクッション性を持たせ、通気性を有する蕎麦殻や合成樹脂製のビーズ等の粒状の固形材料を袋内に大量に充填したものが多く使用されている。
【０００４】
また、保形性を重視することからウレタン等の成型材料をカバーにより覆っているものもあり、この場合はクッション性はあるものの通気性は悪い。或いは、通気性のために陶器製の枕を使用することもある。
【先行技術文献】
【特許文献】
【０００５】
【特許文献１】実用新案登録第３０３３７９８号
【発明の概要】
【発明が解決しようとする課題】
【０００６】
しかし、何れの従来例の睡眠用枕においても一長一短があり、クッション性、通気性、保形性の全てを兼ね備えたものは少ない。蕎麦殻やビーズ等を使用しても、大量の固形材料が充填されており、必ずしも通気性が良いとは云えず、睡眠中に型崩れし易いという問題もある。また、成型材料を用いた枕は通気性が悪く、陶器製の睡眠用枕は通気性が良くても、重く硬過ぎて感触が良くない。
【０００７】
例えば、特許文献１の枕は、クッション性もあり型崩れもし難いが、通気性が十分とは云えず、しかも板状の合成樹脂材が直接頭部に接し、肌触りの感触性が良くない。
【０００８】
本発明の目的は、上述の問題点を解消し、多数個の通気孔を有する合成樹脂製の基板材間に形状保形部材を介在することにより、型崩れし難く、クッション性、通気性が良好であり、しかも表面に多数の柔軟な突条片を配置しているので頭部への肌触りの感触が良い睡眠用枕を提供することにある。
【課題を解決するための手段】
【０００９】
上記目的を達成するための本発明に係る睡眠用枕は、多数の通気孔を設けると共に表面に多数本の柔軟性かつ弾発性を有する突条片を形成した合成樹脂材から成るシート状の基板材を備え、該基板材を略楕円筒状に丸め、上下の前記基板材間に通気性を有し前記基板材間の形状を保形する形状保形部材を配置したことを特徴とする。
【発明の効果】
【００１０】
本発明に係る睡眠用枕は、型崩れし難く、クッション性、通気性が良好で安眠、熟睡できる。
【図面の簡単な説明】
【００１１】
【図１】実施例１の睡眠用枕のカバーにおいて一部を切欠した状態の斜視図である。
【図２】基板材表面の斜視図である。
【図３】基板材裏面の斜視図である。
【図４】基板材表面の部分拡大斜視図である。
【図５】基板材裏面の部分拡大斜視図である。
【図６】基板材を丸めて睡眠用枕に成形する過程の説明図である。
【図７】睡眠用枕の側面図である。
【図８】実施例２の基板材裏面の斜視図である。
【図９】側面図である。
【図１０】実施例３の側面図である。
【図１１】実施例４の側面図である。
【図１２】枠体の斜視図である。
【発明を実施するための形態】
【００１２】
本発明を図示の実施例に基づいて詳細に説明する。
【実施例１】
【００１３】
図１は本実施例における睡眠用枕１のカバーの一部を切欠した状態の斜視図を示しており、１枚の弾性を有する合成樹脂材から成るシート状の基板材２を湾曲させて略楕円形状に丸めることにより、例えば断面略小判型、或いは中央部が凹んでいる断面略ピーナッツ型形状とされている。基板材２の周囲にはカバー３が被着されている。寸法的には、例えば長さ８０ｃｍ、幅は後述する突条片の長さを含めて２３ｃｍ、厚み８ｃｍとされている。
【００１４】
図２は基板材２の表面の斜視図、図３は裏面の斜視図、図４は基板材２の表面の拡大斜視図、図５は裏面の拡大斜視図をそれぞれ示している。基板材２は例えば６０ｃｍ×８０ｃｍの大きさの長方形であり、通気性、軽量化、弾力性を持たせるために、それぞれ通気孔４ａを有する多数の四角枠形状の枠部材４を辺方向に連結するようにして一体成型され、枠部材４内には補強のためのクロス梁４ｂが隅角部同士を結ぶように形成されている。なお、図においては、枠部材４、クロス梁４ｂを図示の都合上、省略している個所もある。
【００１５】
枠部材４の表面には、弾性を有する多数の突条片５が枠部材４の表面から直角方向に高密度で植立されている。突条片５は弾発性を備え、突条片５の先端部５ａによる刺激を緩和し、クッション性を増すために、先端部５ａは側方に稍々曲げられている。また、基板材２の裏面には、形状保形部材として多数の短い支柱６が一体成型されている。
【００１６】
突条片５は例えば幅約１〜２ｍｍ、厚み約０．５ｍｍ、長さ約１２ｍｍ程度の条片状に形成されており、枠部材４の基部においては稍々太く、先端部５ａにゆくに従って稍々細くなっている。また、先端部５ａの曲げ方向は一定方向ではなく、ランダム方向又は隣り合う突条片５同士において反対方向を向いている。このような突条片５を高密度で植立することにより、例えば人工芝のような性状となり、基板材２に適度なクッション性と柔軟性を持たせることができる。
【００１７】
図６に示すように基板材２の両側を丸めながら睡眠用枕１に成形するが、その過程で、図７に示すように上下の基板材２の間に、別体の中間板７を配置する。この中間板７の上下両面には、支柱６の先端部６ａを嵌合する短円筒状の多数個の受部７ａが成型されている。中間板７の受部７ａに支柱６の先端部６ａを嵌合することにより、基板材２は枕形状に保形される。
【００１８】
なお、支柱６の長さは睡眠用枕１の形状、サイズにより適宜に設計することができ、例えば長さが３〜５ｃｍ程度とされている。支柱６の長さを、中央部においては両側の部分よりも短くすることにより、中央部の高さが凹んだ断面ピーナッツ形状の睡眠用枕１とすることができる。
【００１９】
このように本実施例１の睡眠用枕１は、睡眠用枕１の上下の基板材２間の中間部に中間板７を配置することにより、支柱６の長さを短くすることができ、形状も安定する。そして、支柱６に弾力性を持たせることにより、睡眠用枕１は支柱６によってもクッション性が得られる。
【００２０】
なお本実施例１においては、中間板７の受部７ａを用いて支柱６を嵌合して連結したが、受部７ａを用いずに、支柱６の先端部６ａを平皿状としたり、中間板７に支柱６の先端部６ａを突き当てるための当接部を設けてもよい。
【００２１】
更に、基板材２を湾曲させて睡眠用枕１とする場合に、その下面における基板材２の合わせ部同士を接合する必要があるが、例えば図示しない鉤部や嵌合部、或いは接合部材を用いて、睡眠用枕１を表裏を反転して使用することもあるので、この接合部分には段部が生じないようにすることが好ましい。
【００２２】
このように、基板材２を湾曲させ、支柱６を中間板７に係止した後に、基板材２の合わせ部同士を接合すると、睡眠用枕１の原型が形成される。そして、突条片５の先端部５ａの刺激を緩和や汗の吸水のために、睡眠用枕１の周囲を予め縫製した通気性を有する布製のカバー３を被着して使用することが好適である。
【００２３】
本実施例１の睡眠用枕１は、従来の枕のような充填材を用いる必要がないため、熱を蓄熱することもなく、型崩れもし難く保形性も良好である。また、突条片５によるクッション性、肌触りの感触性が良く、基板材２、支柱６によるクッション性に優れ、突条片５間における通気性、基板材２の表裏間の通気性が優れているため、安眠、熟睡することができる。
【実施例２】
【００２４】
図８は実施例２の基板材２の裏面の斜視図を示し、基板材２の上側の裏面の枠部材４上には、例えば直径３ｍｍ、長さ６ｃｍの多数本の支柱１１が形状保形部材として所定のピッチで立設されている。この支柱１１は基板材２を丸めて枕形状とした場合に、その形状を保形し、クッション性を得るものであり、基板材２間に通気性を与えるためのものである。
【００２５】
基板材２の下側の裏面の枠部材４上には、基板材２を湾曲させた際に、支柱１１の先端部１１ａと嵌合する短円筒状の受部１２が支柱１１と同ピッチで設けられている。
【００２６】
図９の側面図は支柱１１を受部１２に嵌合した状態を示している。これらの枠部材４、突条片５、支柱１１、受部１２から成る基板材２は射出成型により一体に成型されている。
【００２７】
本実施例２では、受部１２により支柱１１を連結したが、支柱１１の先端部１１ａを受部１２に外側から嵌合する大径の円筒部とすることもできる。また、受部１２の代りに基板材２の裏面に先端部１１ａを当接する当接部としてもよい。
【実施例３】
【００２８】
実施例１、２においては、枠部材４に支柱６、１１を一体に成形したが、本実施例３においては、形状保形部材として基板材２とは別体の弾力性を有する連結部材を用いて基板材２同士が連結されている。上下の基板材２の裏面には図１０に示すように、基板材２の枠部材４に多数の短円筒状の受部２１が設けられている。
【００２９】
基板材２を湾曲し、上下の基板材２の受部２１に、例えば合成樹脂材から成る棒状の連結部材２２の両端をそれぞれ嵌入させることにより、睡眠用枕１の形状が保形される。
【００３０】
また、この連結部材２２の本数や径、材質を変更することにより、好みのクッション性を有する睡眠用枕１とすることができる。
【００３１】
なお、本実施例２においては棒状の連結部材２２を用いたが、連結部材２２として中空の円筒部材を用い、この円筒部材の両端を受部２１の外側に嵌合させてもよい。
【実施例４】
【００３２】
図１１は実施例４の側面図を示し、上下の基板材２間には、形状保形部材として機能し、基板材２とは別体の枠体３１が図１２に示すように挿入されている。この枠体３１には直方体の隅角部に対応する梁３１ａを有し、これらの梁３１ａ間を補強するための補強梁３１ｂが設けられている。そして、この枠体３１は上下方向に適度の弾性を有していることが、睡眠用枕１にクッション性を与えることで好ましい。
【００３３】
なお、枠体３１は必ずしも直方体ではなく、睡眠用枕１の形状に丸みを帯びさせるために、梁３１ａは曲線により形成するようにしてもよい。
【００３４】
なお、実施例１〜４の睡眠用枕１は、１枚の基板材２を湾曲させることにより製造したが、必ずしも１枚である必要はなく、複数枚の基板材２を接続して作成してもよい。
【符号の説明】
【００３５】
１  睡眠用枕
２  基板材
３  カバー
４  枠部材
５  突条片
６、１１  支柱
７  中間板
２２  連結部材
３１  枠体
【図１】
2013244197.tif 000003
【図２】
2013244197.tif 000004
【図３】
2013244197.tif 000005
【図４】
2013244197.tif 000006
【図５】
2013244197.tif 000007
【図６】
2013244197.tif 000008
【図７】
2013244197.tif 000009
【図８】
2013244197.tif 000010
【図９】
2013244197.tif 000011
【図１０】
2013244197.tif 000012
【図１１】
2013244197.tif 000013
【図１２】
2013244197.tif 000014